(57)【特許請求の範囲】
【請求項１】
少なくとも磁気ギャップを有する磁気回路と、この磁気回路が装着されるフレームと、上方にダイアフラム部を有し下方の開放端側に上記磁気回路の磁気ギャップに嵌め込まれるボイスコイル部を設けた短径側の断面が逆Ｕ字状の細長形の振動体と、この振動体の上記ボイスコイル部を挟持する補強リブと、この補強リブが挿入結合される貫通孔を有するとともに上記フレームに結合されたダンパーと、内周が上記振動体の外側に結合され外周が上記フレームに結合されるエッジとを備え、上記補強リブは、その上方位置で上記振動体のボイスコイル部を内側と外側から挟持し、その下辺に設けた舌部が上記ダンパーの貫通孔に挿入結合されたスピーカ。
【発明の詳細な説明】
【０００１】
【発明の属する技術分野】
本発明は各種音響機器および映像機器に使用されるスピーカに関するものである。
【０００２】
【従来の技術】
近年、映像機器の大型画面化、省スペース化の中でスピーカとしても細長形のスピーカの要求が高まってきている。
【０００３】
この種従来の細長形スピーカを図３および図４により説明する。
【０００４】
図３はダイレクトドライブ方式の防磁型スピーカの分解斜視図であり、図４は同要部である補強リブとダンパーの結合状態を説明するための斜視図である。
【０００５】
同図によると、１は短径側が逆Ｕ字状で下方開放端側にコイル１ｃを巻線したボイスコイル部１ｂと、Ｕ字状の上方頂点側をダイアフラム部１ａとした細長形の振動体であり、硬質アルミニウム、紙、ガラス繊維入り樹脂等のシートを成型してダイアフラム部１ａとボイスコイル部１ｂを一体に形成したものである。８は補強リブであり、Ｕ字状の振動体１の内側と外側からダイアフラム部１ａとボイスコイル部１ｂを挟持する構成として結合されている。
【０００６】
２はエッジであり、ダイアフラム部１ａの外周に内周が結合され、外周がフレーム３に結合されている。また、７は上記補強リブ８に接着剤により接着されたダンパーであり、このダンパー７は上記フレーム３に結合されて上記振動体１を振動自在に保持している。
【０００７】
６は上記フレーム３の中央凹部に配設されたヨーク４と磁石５からなるとともに、磁気ギャップ６ａを形成した磁気回路である。この磁気回路６は対向した一対のものが直線的に複数個隙間６ｂを設けて配設され、上記磁気ギャップ６ａに上記振動体１のボイスコイル部１ｂがはめ込まれるように振動体１は補強リブ８を介してダンパー７に支持されている。なお、９はガスケットであり、エッジ２をフレーム３とで挟持している。
【０００８】
以上のように構成されたスピーカは外部よりの音声信号を上記ボイスコイル部１ｂのコイル１ｃに流すことにより振動体１を上下動させダイアフラム部１ａを振動させ音波を放射するものである。
【０００９】
【発明が解決しようとする課題】
しかしながら、上述のごとく補強リブ８とダンパー７は接触部分を接着剤で結合するものであるため、両者の接触面積を大きくできないため重低音化・高耐入力化には限界があった。
【００１０】
本発明は補強リブとダンパーの結合強度の向上を図り、スピーカの重低音化・高耐入力化に対応した信頼性に優れたスピーカを提供するものである。
【００１１】
【課題を解決するための手段】
上記課題を解決するために本発明のスピーカは、少なくとも磁気ギャップを有する磁気回路と、この磁気回路が装着されるフレームと、上方にダイアフラム部を有し下方の開放端側に上記磁気回路の磁気ギャップに嵌め込まれるボイスコイル部を設けた短径側の断面が逆Ｕ字状の細長形の振動体と、この振動体の上記ボイスコイル部を挟持する補強リブと、この補強リブが挿入結合される貫通孔を有するとともに上記フレームに結合されたダンパーと、内周が上記振動体の外側に結合され外周が上記フレームに結合されるエッジとで構成したものであり、ダンパーに設けた貫通孔に補強リブを挿入して結合する構成としたため、補強リブとダンパーの結合強度の向上が図れ、高耐入力化が信頼性高く得られる優れたスピーカが提供できるものである。
【００１２】
【発明の実施の形態】
本発明の請求項１に記載の発明は、少なくとも磁気ギャップを有する磁気回路と、この磁気回路が装着されるフレームと、上方にダイアフラム部を有し下方の開放端側に上記磁気回路の磁気ギャップに嵌め込まれるボイスコイル部を設けた短径側の断面が逆Ｕ字状の細長形の振動体と、この振動体の上記ボイスコイル部を挟持する補強リブと、この補強リブが挿入結合される貫通孔を有するとともに、フレームに結合されたダンパーとを有するものであり、ダンパーに設けた貫通孔に補強リブを挿入して結合する構成としたため、補強リブとダンパーの結合強度の向上が図れ、高耐入力化が信頼性高く得られる優れたスピーカが提供できるものである。
【００１３】
本発明の請求項２に記載の発明は、磁気回路を隙間を設けて複数個直線的に配置し、補強リブをこの隙間内に接触しないように配置したものであり、請求項１の効果をスピーカの大型化を伴うことなく実現できるものである。
【００１４】
以下、本発明のスピーカの一実施の形態について図１から図２（ｂ）により説明する。
【００１５】
なお、説明にあたっては従来技術と同一部分は同一番号を付し説明を省略して説明する。
【００１６】
図１は本発明のスピーカの一実施の形態の細長形のスピーカの分解斜視図であり、図２（ａ）は同要部である補強リブとダンパーの結合状態を説明するための分解斜視図であり、図２（ｂ）は同展開例の同要部である補強リブとダンパーの結合状態を説明するための分解斜視図である。
【００１７】
同図によると７ａはダンパーであり、７ｂは貫通孔であり、８ａは補強リブであり、この補強リブ８ａの下側に設けられた舌部８ｂを上記貫通孔７ｂに差し込んで、ダンパー７ａと補強リブ８ａの当接部分のみならず上下方向（ダンパー７ａの両面）からも接着剤を塗布してダンパー７ａと補強リブ８ａを接着結合するものである。
【００１８】
なお、図２（ｂ）は本実施の形態の展開例を示すものであるが、舌部８ｂを先端両側を膨らませた逆Ｔ字形としたものであり、舌部８ｂの貫通孔７ｂへの挿入後側面方向にずらして接着剤を上記実施の形態と同様に塗布して結合することにより補強リブ８ａはより強固に結合されるものである。
【００１９】
この舌部８ｂは仮止めの機能を持つことにもなるので接着剤の乾燥工程の短縮や削減を行え生産性の向上も図れるものである。
【００２０】
【発明の効果】
以上のように本発明のスピーカは補強リブとダンパーの結合強度の向上を図ったことにより、高耐入力化が信頼性高く得られる優れたスピーカが提供できるものである。
【図面の簡単な説明】
【図１】本発明のスピーカの一実施の形態の細長形のスピーカの分解斜視図
【図２】（ａ）同要部である補強リブとダンパーの結合状態を説明するための分解斜視図
（ｂ）同展開例の同要部である補強リブとダンパーの結合状態を説明するための分解斜視図
【図３】従来のダイレクトドライブ方式の防磁型のスピーカの分解斜視図
【図４】同要部である補強リブとダンパーの結合状態を説明するための斜視図
【符号の説明】
１  振動体
１ａ  ダイアフラム部
１ｂ  ボイスコイル部
２  エッジ
３  フレーム
６  磁気回路
７ａ  ダンパー
７ｂ  貫通孔
８ａ  補強リブ
８ｂ  舌部
【図１】
0003991520.tif 000002
【図２】
0003991520.tif 000003
【図３】
0003991520.tif 000004
【図４】
0003991520.tif 000005